(57)【要約】【課題】ドラムの周面の一部を細くリング状に切開して墨糸を墨含浸材に接触させ、墨糸の引き出しと引き戻しによって回転ドラムを正逆回転させることにより墨糸への墨転移を行うようにした墨線引き器の提供。【解決手段】常時糸の巻取り状態に自動復帰する糸巻きリール１と、糸巻きリール１に巻かれた墨糸２を取り出す糸取出口３と、この糸取出口３に着脱自在に装着され且つ前記墨糸２の端部が連結された糸止め４と、前記糸巻きリール１と糸取出口３との間に着脱自在に配置され且つ墨糸２の引き出し及び引き戻しによって正逆回転するようにその周面に前記墨糸２が圧接された墨付け用の回転ドラム５とからなり、該回転ドラム５は内部に墨を含浸させた墨含浸材６が収納されており、この墨含浸材６に墨糸２が接するように回転ドラム５の外周壁の一部が細くリング状に切開されて切開溝５ａが形成されている構造。【選択図】　　　　図４
2004068474.tif 000002
【特許請求の範囲】
【請求項１】
フレーム（Ａ）に装着され且つ常時糸の巻取り状態に自動復帰する糸巻きリール（１）と、フレーム（Ａ）の先端に形成されて糸巻きリール（１）に巻かれた墨糸（２）を取り出す糸取出口（３）と、この糸取出口（３）に着脱自在に装着され且つ前記墨糸（２）の端部が接続された糸止め（４）と、前記糸巻きリール（１）と糸取出口（３）との間に着脱自在に配置され且つ墨糸（２）の引き出し及び引き戻しによって正逆回転するようにその周面に前記墨糸（２）が圧接された墨付け用の回転ドラム（５）とからなり、該回転ドラム（５）は内部に墨を含浸させた墨含浸材（６）が収納されており、この墨含浸材（６）に墨糸（２）が接するように回転ドラム（５）の外周壁の一部がリング状に切開されて切開溝（５ａ）が形成されている墨線引き器。
【請求項２】
回転ドラム（５）に収納された墨含浸材（６）が隔壁（５ｂ）によって隔離された内層（６ａ）並びに外層（６ｂ）の二つの層で形成され、前記隔壁（５ｂ）に小さな墨通孔（５ｃ）が設けられている請求項１に記載の墨線引き器。
【発明の詳細な説明】
【０００１】
【発明が属する技術分野】
本発明は、大工職人が柱や板材に直線を描くのに使用するものであって、古来から「墨壺」と呼ばれている墨線引き器に関するものである。
【０００２】
【従来の技術】
従来、「墨壺」と呼ばれている墨線引き器は、糸巻きリールから墨糸を引き出すときに墨入れに収納した墨肉上を滑らせて糸に墨を転移させ、墨糸の両端を安定させた状態で墨糸を指で弾くことにより柱等の目的物に直線を描くことができるように形成されている。
【０００３】
しかし、上記の従来構造では、墨肉はその上面が露出されているので、雨や乾燥に弱く、且つ持ち運びのときに衣服や他の道具に墨が付着する等の問題点があった。加えて、墨糸が墨肉上を滑ることにより墨糸へ墨転移が行われているため、墨肉の傷みが早く、且つ摩擦によって墨糸の寿命も短くなって糸切れが発生し易い等の欠点があった。更に、水平面上で使用するときは墨肉内の墨が安定して墨糸へ墨転移が均一に行われるが、横向きや傾斜面で使用すれば墨肉内の墨が比重によってかたより、その為、墨糸への墨転移が不均一になって線がかすれる等の弊害があった。
【０００４】
【発明が解決しようとする課題】
そこで本発明は、墨肉即ち墨含浸材を回転ドラムに収納し、ドラムの周面の一部を細くリング状に切開して墨糸を墨含浸材に接触させ、糸の引き出し並びに引き戻しによって回転ドラムを正逆回転させることにより墨糸への墨転移を行うようにし、これにより上記した従来構造の持つ種々の問題点を克服した新規な墨線引き器を提供することを主たる目的とするものである。
【０００５】
【課題を解決するための手段】
上記目的を達成するために本発明では次のような技術的手段を講じた。即ち本発明に係る墨線引き器にあっては、フレームＡに装着され且つ常時糸の巻取り状態に自動復帰する糸巻きリール１と、フレームＡの先端に形成されて糸巻きリール１に巻かれた墨糸２を取り出す糸取出口３と、この糸取出口３に着脱自在に装着され且つ前記墨糸２の端部が連結された糸止め４と、前記糸巻きリール１と糸取出口３との間に着脱自在に配置され且つ墨糸２の引き出し及び引き戻しによって正逆回転するようにその周面に前記墨糸２が圧接された墨付け用の回転ドラム５とからなり、該回転ドラム５は内部に墨を含浸させた墨含浸材６が収納されており、この墨含浸材６に墨糸２が接するように回転ドラム５の外周壁の一部が細くリング状に切開されて切開溝５ａが形成されている構造とした。
【０００６】
前記回転ドラム５に収納された墨含浸材６は、スポンジやフエルト、不織布若しくはこれらの混合材料で形成される。またこの墨含浸材６は隔壁５ｂによって隔離された内層６ａ並びに外層６ｂの二つの層で形成し、隔壁５ｂに墨浸透用の小さな墨通孔５ｃを設けた構造とするのがよい。この場合、外層６ｂの容積は内層６ａの容積より小さく、例えば約３分の１程度とし、外層６ｂの密度が内層６ａの密度より大きく形成するのが好ましい。これにより糸引き出し時にドラム５の回転遠心力によって墨が切開溝５ａから飛散するのを押さえることができる。
【０００７】
【発明の実施の形態】
以下本発明の実施例について図面に基づいて説明する。
図１は全体の平面形状を表す図、図２は同平面形状において開口部の蓋を開口した状態を表す図、図３は回転ドラム部分で横断した部分断面図、図４は同じく回転ドラム部分で縦断した部分断面図である。
【０００８】
図１，２に示した符号Ａはフレームであって、これの後部に糸巻きリール１が装着されている。この糸巻きリール１はスプリングによって常時糸の巻取り状態に自動復帰する構造となっている。また前記フレームＡの先端には糸巻きリール１に巻かれた墨糸２を取り出す糸取出口３が設けられ、この糸取出口３に墨糸２の先端を連結した糸止め４が着脱自在に装着されている。該糸止め４は針４ａを備えている。
【０００９】
更に、前記糸巻きリール１と糸取出口３との間に、墨糸２の引き出し及び引き戻しによって正逆回転するようにその周面に前記墨糸２が圧接された墨付け用の回転ドラム５が着脱自在に配置されている。この回転ドラム５は内部に墨をスポンジやフエルト、不織布等の含浸材に含浸させた墨含浸材６が収納されており、この墨含浸材６に墨糸２が接するように回転ドラム５の外周壁の一部が細くリング状に切開されて切開溝５ａが形成されている。尚、図中符号８は前記回転ドラム５を取り出すためにフレームに形成された開口部７を開閉する蓋である。
【００１０】
本実施例にあっては、図３，４にみられるように、前記回転ドラム５に収納された墨含浸材６は、隔壁５ｂによって隔離された内層６ａ並びに外層６ｂの二つの層で形成され、隔壁５ｂに墨浸透用の小さな墨通孔５ｃが設けられている。そして内層６ａに含浸された墨を糸引き出し時の回転遠心力によって集積して墨通孔５ｃにガイドするリブ５ｄが内層６ａを収納するドラム内側面に設けられている。また、外層６ｂの容積は内層６ａの容積より約３分の１程度と小さく形成され、外層６ｂの密度が内層６ａの密度より大きく形成されている。本実施例では内層６ａに多孔質のスポンジ材が使用され、外層６ｂにフエルトと不織布を使用した。これにより糸引き出し時にドラム５の回転遠心力によって墨が切開溝５ａから飛散するのを効果的に抑制している。
【００１１】
また、図３に示すように、前記回転ドラム５の軸芯に墨充填用の注入口５ｅが設けられ、この注入口５ｅから内層６ａに通じる通路５ｆが設けられており、開閉ビス５ｇによって通路５ｆが開閉できるように形成されている。従って回転ドラム５をフレームＡから取り外すことによって注入口５ｅから墨を容易に充填することができる。
【００１２】
上記の如く構成された墨線引き器は、糸止め４によって墨糸２を引き出して使用する。墨糸２の引き出しと同時に回転ドラム５が回転して外層６ｂに含浸される墨が墨糸２に転移される。このとき、墨糸２は回転ドラム５の外層６ｂに対して圧縮した状態で接触するので、従来のような滑りによる摩擦が殆ど生じることが無く、外層６ｂや墨糸２に対する損傷を防止でき、且つ回転ドラム５の回転によりスムーズに糸を引き出すことができて、糸詰まりや糸切れを未然に防止することができる。また、墨糸２の引き出し速度が速いときは、墨糸２と外層６ｂとの接触時間が短いが回転ドラム５の高速回転によって、遠心力が大きく作用して墨が外側に多く供給される。また、反対に引き出し速度が遅い場合は、遠心力が小さいが外層６ｂへの接触時間が長いため、墨糸２への墨転移が常時均一に行うことができる。
【００１３】
以上本発明の代表的な実施例について説明したが、本発明は必ずしも上記の実施例構造のみに特定されるものではない。例えば回転ドラム５内に収納される墨含浸材６を工夫することによって、例えば、内部の密度を小さく、外部の密度を大きくしたもので一体的に作れば、前記した隔壁５ｂを省略することもできる。その他本発明ではその構成要件を備え、且つ効果を有する範囲内で適宜変更して実施できることは勿論である。
【００１４】
【発明の効果】
本発明の墨線引き器は上記の如く構成したものであるから、糸引き出し時に回転ドラムが回転して墨糸が墨含浸材に対して圧縮した状態で接触するので、従来のような滑りによる摩擦が殆ど生じることが無く、墨含浸材や墨糸に対する損傷を防止でき、且つ回転ドラムの回転によりスムーズに糸を引き出すことができて、糸詰まりや糸切れを未然に防止することができ、加えて、墨糸の引き出し速度が速いときは墨糸と墨含浸材との接触時間が短いが回転ドラムの高速回転によって遠心力が大きく作用して墨が外側に多く供給され、反対に引き出し速度が遅い場合は遠心力が小さいが墨含浸材への接触時間が長いため、糸への墨転移が常に均一に行うことができ、更には、墨含浸材の殆どの部分が回転ドラム内に収納されて隠されているため、乾燥や雨に強く、しかも回転による遠心力によって墨が外側に供給されるため横向きや傾斜面で使用しても水平面での使用と変わらない線引きができるといった種々顕著な効果がある。
【図面の簡単な説明】
【図１】本発明に係る墨線引き器の一実施例を示す平面図。
【図２】上記墨線引き器の回転ドラムを閉じる蓋を開放した状態を示す平面図。
【図３】上記墨線引き器の要部の横断面図。
【図４】上記墨線引き器の要部の縦断面図。
【符号の説明】
Ａ　フレーム
１　糸巻きリール
２　墨糸
３　糸取出口
４　糸止め
５　回転ドラム
５ａ　切開溝
５ｂ　隔壁
５ｃ　墨通孔
６　墨含浸材
６ａ　内層
６ｂ　外層
【図１】
2004068474.tif 000003
【図２】
2004068474.tif 000004
【図３】
2004068474.tif 000005
【図４】
2004068474.tif 000006